(57)【要約】【課題】縦長が長い表示機を持つ情報処理端末で、横長が長い動画像の最大化表示を良好に行うことができるようにする。【解決手段】動画像をダウンロードするダウンロード機能部２０、ダウンロードされた動画像の縦サイズ及び横サイズを取得するサイズ取得機能部７０、取得した縦サイズ及び横サイズに基づいてダウンロードされた動画像の縦横変換をするか否かを判断する制御部４０、縦横変換をするとの判断の場合にダウンロードされた動画像の縦横変換をし、縦横変換された動画像を得る縦横変換機能部８０、縦横変換をするとの判断の場合には縦横変換された動画像を表示機６０に表示し、縦横変換をしないとの判断の場合にはダウンロードされた動画像を表示機６０に表示する動画表示機能部９０を有することを特徴とする情報通信端末。【選択図】図３
2008244707.tif 000002
【特許請求の範囲】
【請求項１】
表示機を備えた情報処理端末において、
動画像をダウンロードするダウンロード手段と、
ダウンロードされた動画像の縦サイズ及び横サイズを取得するサイズ取得手段と、
前記サイズ取得手段の取得した縦サイズ及び横サイズに基づいて、前記ダウンロードされた動画像の縦横変換をするか否かを判断する判断手段と、
前記判断手段が縦横変換をすると判断した場合に前記ダウンロードされた動画像の縦横変換をし、縦横変換された動画像を得る縦横変換手段と、
前記判断手段が縦横変換をすると判断した場合には前記縦横変換された動画像を前記表示機に表示し、前記判断手段が縦横変換をしないと判断した場合には前記ダウンロードされた動画像を前記表示機に表示する動画表示手段とを有することを特徴とする情報通信端末。
【請求項２】
請求項１に記載の情報通信端末において、前記ダウンロードされた動画像の縦横変換は、前記ダウンロードされた動画像の９０度回転処理により行われることを特徴とする情報通信端末。
【請求項３】
請求項１に記載の情報通信端末において、
前記動画表示手段は、前記判断手段が縦横変換をしないと判断した場合には前記ダウンロードされた動画像に対して前記表示機サイズに適合するように最大化処理を行った状態で、前記ダウンロードされた動画像を前記表示機に表示し、前記判断手段が縦横変換をすると判断した場合には前記縦横変換された動画像に対して前記表示機サイズに適合するように最大化処理を行った状態で、前記縦横変換された動画像を前記表示機に表示するものであることを特徴とする情報通信端末。
【請求項４】
横長に比べて縦長が長い表示機を前記表示機として備えている請求項１に記載の情報通信端末において、
前記判断手段は、前記ダウンロードされた動画像の横サイズが縦サイズより大きい場合に、前記ダウンロードされた動画像の縦横変換をすると判断し、前記ダウンロードされた動画像の横サイズが縦サイズより大きくない場合に、前記ダウンロードされた動画像の縦横変換をしないと判断するものであることを特徴とする情報通信端末。
【請求項５】
請求項４に記載の情報通信端末において、前記ダウンロードされた動画像の縦横変換は、前記ダウンロードされた動画像の９０度回転処理により行われることを特徴とする情報通信端末。
【請求項６】
請求項４に記載の情報通信端末において、
前記動画表示手段は、前記判断手段が縦横変換をしないと判断した場合には前記ダウンロードされた動画像に対して前記表示機サイズに適合するように最大化処理を行った状態で、前記ダウンロードされた動画像を前記表示機に表示し、前記判断手段が縦横変換をすると判断した場合には前記縦横変換された動画像に対して前記表示機サイズに適合するように最大化処理を行った状態で、前記縦横変換された動画像を前記表示機に表示するものであることを特徴とする情報通信端末。
【請求項７】
請求項１に記載の情報通信端末において、
複数の動画像を識別する複数の識別情報と前記複数の識別情報に対応して前記複数の動画像を再生する順番とをプレイリストとして記憶している記憶手段と、
前記プレイリストに記憶された前記複数の識別情報にて識別される前記複数のの動画像の縦サイズ及び横サイズに基づいて、前記複数の識別情報に対応して記憶されている前記複数の動画像を再生する順番を変換するプレイリスト変換手段とを、更に有することを特徴とする情報通信端末。
【請求項８】
請求項７に記載の情報通信端末において、
前記プレイリスト変換手段は、
前記プレイリストに記憶された前記複数の識別情報にて識別される前記複数の動画像の縦サイズ及び横サイズを取得する手段と、
前記記憶手段に、前記複数の識別情報に対応して記憶されている前記複数の動画像を再生する順番を、前記複数の動画像の取得した縦サイズ及び横サイズに基づいて変換する手段とを有することを特徴とする情報通信端末。
【請求項９】
請求項７に記載の情報通信端末において、
前記プレイリスト変換手段による前記順番の変換は、横サイズが縦サイズより大きい動画像を先にまとめて再生されるように変更し、横サイズが縦サイズより大きくない動画像を後でまとめて再生されるように変更することにより行うことを特徴とする情報通信端末。
【請求項１０】
請求項７に記載の情報通信端末において、
前記プレイリスト変換手段による前記順番の変換は、横サイズが縦サイズより大きくない動画像を先にまとめて再生されるように変更し、横サイズが縦サイズより大きい動画像を後でまとめて再生されるように変更することにより行うことを特徴とする情報通信端末。
【発明の詳細な説明】
【技術分野】
【０００１】
本発明は携帯電話機等の情報通信端末に関するものである。
【背景技術】
【０００２】
今般、携帯電話機等の小型情報通信端末により、放送やストリーミングによる動画像の表示が実現されている。
【０００３】
携帯電話は横長に比べて縦長が長い表示機が普及している。他方で放送、ストリーミングによる動画像は、縦長に比べて横長が長いものが多い。
【０００４】
特許文献１には、図１および図２に、ＴＶ等のディスプレイ装置であって、縦長に比べて横長が長い表示部が、リモートコントローラやタッチパネルなどで２分割表示を指示すると、通常の状態から９０°回転され、各画面が縦長に比べて横長が長い２分割画面とされ、２分割画面にそれぞれ映像が表示されるディスプレイ装置が開示されている（［００１０］及び［００１１］段落参照）。
【０００５】
特許文献２には、撮影モードでは表示画面の下方部分にタッチパネルが表示されると共に表示画面の上方部分に撮影画像が表示されるデジタルカメラが開示されている（要約及び図２参照）。このデジタルカメラにおいては、再生モードでは、撮影画像の表示姿勢を９０°回転し、表示画面の全面に撮影画像が表示される（要約及び図３参照）。
【０００６】
特許文献３には、第１図において、通常は、画像メモリ１６のエリア１６１中の縦長が長い画像データが表示され、その画像データは回転回路１４等により横長が長い画像データに変換されて、画像メモリ１６中のエリア１６２に転送されて表示されることが開示されている（第３頁左上欄第１６行〜右上欄第２行）。これにより、第４図のように、ＣＲＴ２１を(a)の状態から横型につまり(b)の状態に切り替えても、画像メモリ１６内の表示エリアをエリア１６２に切替えることで、見やすく正常に表示を行うことができることが開示されている（第３頁右上欄第２行〜右上欄第７行）。
【０００７】
【特許文献１】特開２００３−１１４６６８号公報
【特許文献２】特開２００６−１６６２４８号公報
【特許文献３】特開昭６２−１７３５０９号公報
【発明の開示】
【発明が解決しようとする課題】
【０００８】
図1（Ａ）を参照すると、横長が長い動画像（図示の動画像にはＡが表示されている）を、縦長が長い表示機で表示している従来の情報処理端末が示されている。図示の情報処理端末は具体的には携帯電話機である。図1（Ａ）は通常表示状態を示している。この情報処理端末において、表示機に動画像を最大化表示する場合には、図１（Ｂ）のように十分な大きさで表示されないという問題があった。また、この情報処理端末において、表示機に動画像の中央部を最大化表示すると、図１（Ｃ）のように動画像の両側部が表示されず、表示画面が途切れてしまうという問題があった。
【課題を解決するための手段】
【０００９】
本発明の課題は、縦長が長い動画像、横長が長い動画像が混在する状況で、縦長が長い表示機を持つ情報処理端末で、横長が長い動画像の最大化表示を良好に行うことができるようにすることにある。
【００１０】
本発明による情報処理端末は、以下のとおりである。
【００１１】
（１）  表示機を備えた情報処理端末において、
動画像をダウンロードするダウンロード手段と、
ダウンロードされた動画像の縦サイズ及び横サイズを取得するサイズ取得手段と、
前記サイズ取得手段の取得した縦サイズ及び横サイズに基づいて、前記ダウンロードされた動画像の縦横変換をするか否かを判断する判断手段と、
前記判断手段が縦横変換をすると判断した場合に前記ダウンロードされた動画像の縦横変換をし、縦横変換された動画像を得る縦横変換手段と、
前記判断手段が縦横変換をすると判断した場合には前記縦横変換された動画像を前記表示機に表示し、前記判断手段が縦横変換をしないと判断した場合には前記ダウンロードされた動画像を前記表示機に表示する動画表示手段とを有することを特徴とする情報通信端末。
【００１２】
（２）  上記（１）に記載の情報通信端末において、前記ダウンロードされた動画像の縦横変換は、前記ダウンロードされた動画像の９０度回転処理により行われることを特徴とする情報通信端末。
【００１３】
（３）  上記（１）に記載の情報通信端末において、
前記動画表示手段は、前記判断手段が縦横変換をしないと判断した場合には前記ダウンロードされた動画像に対して前記表示機サイズに適合するように最大化処理を行った状態で、前記ダウンロードされた動画像を前記表示機に表示し、前記判断手段が縦横変換をすると判断した場合には前記縦横変換された動画像に対して前記表示機サイズに適合するように最大化処理を行った状態で、前記縦横変換された動画像を前記表示機に表示するものであることを特徴とする情報通信端末。
【００１４】
（４）  横長に比べて縦長が長い表示機を前記表示機として備えている上記（１）に記載の情報通信端末において、
前記判断手段は、前記ダウンロードされた動画像の横サイズが縦サイズより大きい場合に、前記ダウンロードされた動画像の縦横変換をすると判断し、前記ダウンロードされた動画像の横サイズが縦サイズより大きくない場合に、前記ダウンロードされた動画像の縦横変換をしないと判断するものであることを特徴とする情報通信端末。
【００１５】
（５）  上記（４）に記載の情報通信端末において、前記ダウンロードされた動画像の縦横変換は、前記ダウンロードされた動画像の９０度回転処理により行われることを特徴とする情報通信端末。
【００１６】
（６）  上記（４）に記載の情報通信端末において、
前記動画表示手段は、前記判断手段が縦横変換をしないと判断した場合には前記ダウンロードされた動画像に対して前記表示機サイズに適合するように最大化処理を行った状態で、前記ダウンロードされた動画像を前記表示機に表示し、前記判断手段が縦横変換をすると判断した場合には前記縦横変換された動画像に対して前記表示機サイズに適合するように最大化処理を行った状態で、前記縦横変換された動画像を前記表示機に表示するものであることを特徴とする情報通信端末。
【００１７】
（７）  上記（１）に記載の情報通信端末において、
複数の動画像を識別する複数の識別情報と前記複数の識別情報に対応して前記複数の動画像を再生する順番とをプレイリストとして記憶している記憶手段と、
前記プレイリストに記憶された前記複数の識別情報にて識別される前記複数のの動画像の縦サイズ及び横サイズに基づいて、前記複数の識別情報に対応して記憶されている前記複数の動画像を再生する順番を変換するプレイリスト変換手段とを、更に有することを特徴とする情報通信端末。
【００１８】
（８）  上記（７）に記載の情報通信端末において、
前記プレイリスト変換手段は、
前記プレイリストに記憶された前記複数の識別情報にて識別される前記複数の動画像の縦サイズ及び横サイズを取得する手段と、
前記記憶手段に、前記複数の識別情報に対応して記憶されている前記複数の動画像を再生する順番を、前記複数の動画像の取得した縦サイズ及び横サイズに基づいて変換する手段とを有することを特徴とする情報通信端末。
【００１９】
（９）  上記（７）に記載の情報通信端末において、
前記プレイリスト変換手段による前記順番の変換は、横サイズが縦サイズより大きい動画像を先にまとめて再生されるように変更し、横サイズが縦サイズより大きくない動画像を後でまとめて再生されるように変更することにより行うことを特徴とする情報通信端末。
【００２０】
（１０）  上記（７）に記載の情報通信端末において、
前記プレイリスト変換手段による前記順番の変換は、横サイズが縦サイズより大きくない動画像を先にまとめて再生されるように変更し、横サイズが縦サイズより大きい動画像を後でまとめて再生されるように変更することにより行うことを特徴とする情報通信端末。
【００２１】
引用文献１は、表示部自体が回転可能であることが前提であり、映像の縦横変換は引用文献１には開示がない。詳細には、引用文献１には、上記（１）における、「動画像をダウンロードするダウンロード手段」、「ダウンロードされた動画像の縦サイズ及び横サイズを取得するサイズ取得手段」、「前記サイズ取得手段の取得した縦サイズ及び横サイズに基づいて、前記ダウンロードされた動画像の縦横変換をするか否かを判断する判断手段」、「前記判断手段が縦横変換をすると判断した場合に前記ダウンロードされた動画像の縦横変換をし、縦横変換された動画像を得る縦横変換手段」、及び「前記判断手段が縦横変換をすると判断した場合には前記縦横変換された動画像を前記表示機に表示する動画表示手段」が開示されていない。
【００２２】
特許文献２は、再生モードでは、撮影画像の表示姿勢を９０°回転し、表示画面の全面に撮影画像が表示されることを開示している。特許文献３は、縦長が長い画像データを回転回路等により横長が長い画像データに変換することが開示されている。しかしながら、引用文献１及び２には、上記（１）における、「動画像をダウンロードするダウンロード手段」、「ダウンロードされた動画像の縦サイズ及び横サイズを取得するサイズ取得手段」、及び「前記サイズ取得手段の取得した縦サイズ及び横サイズに基づいて、前記ダウンロードされた動画像の縦横変換をするか否かを判断する判断手段」が開示されていない。
【発明の効果】
【００２３】
本発明によれば、縦長が長い動画像、横長が長い動画像が混在する状況で、縦長が長い表示機を持つ情報処理端末で、横長が長い動画像の最大化表示を良好に行うことができる。
【発明を実施するための最良の形態】
【００２４】
次に本発明について図面を参照して説明する。
【００２５】
図２（Ａ）を参照すると、横長が長い動画像（図示の動画像にはＡが表示されている）を、縦長が長い表示機で表示している本発明による情報処理端末が示されている。図示の情報処理端末は具体的には携帯電話機である。図２（Ａ）は通常表示状態を示している。本発明による情報処理端末は、図２（Ｂ）のように、横長に比べて縦長が長い表示機へ、縦長に比べて横長が長い動画像を最大化表示する場合、動画像を９０度回転してから最大化表示をする機能（以下に第１の実施例として述べる）を有する。
【００２６】
更に本発明では、縦長が長い動画像と横長が長い動画像が混在する場合の連続表示において、縦長が長い動画像を連続して表示し、または横長が長い動画像を連続して表示をする機能（以下に第２の実施例として述べる）を達成する。この機能により、閲覧者は表示機を頻繁に縦・横へと持ち変える必要がなくなり、わずらわしさがなくなる。
【００２７】
図３を参照すると、本発明の第１の実施例による情報通信端末である携帯電話機は、アンテナ１００を備えた無線送受信装置１０を有する。無線送受信装置１０は、携帯電話で採用される、PDC (Personal Digital Cellular)、GSM (Global System for Mobile Communications)、WCDMA (Wideband Code Division Multiple Access)、さらに無線LAN (Local Area Network)、WiMAX (Worldwide Interoperability for Microwave Access)などのデジタル通信技術等により実現され、音声・デジタルデータの送受信機能を提供するものである。特に本発明においては、無線送受信装置１０は動画像のストリーミングデータを受信するものである。
【００２８】
ダウンロード機能部２０は、無線送受信装置１０を介して動画データをダウンロードし、動画保存機能部３０に保存する機能を持つ。動画像は一般にmpeg(Moving Picture Experts Group)2、mpeg4、Ｈ.264等の技術で圧縮されたフォーマットで構成されることが多い。
【００２９】
動画保存機能部３０は、ダウンロードした動画を動画保存領域に保存するメモリからなり、例えば512MB以上の大容量のフラッシュメモリ等により実現される。
【００３０】
制御部４０は、汎用のCPU (Central Processing Unit)で構成され、各部を制御するものである。
【００３１】
入力装置５０は、テンキー等で構成され、ユーザの操作を入力するものである。
【００３２】
表示機６０は、液晶表示機や有機EL(electroluminescence)ディスプレイ等で構成され、ダウンロードした動画像等を表示するものである。
【００３３】
サイズ取得機能部７０は、動画保存機能部３０に保存されている動画の縦長、横長を取得する機能をもつ。
【００３４】
縦横変換機能部８０は、動画像の表示のために動画の９０度回転を行うものである。
【００３５】
動画表示機能部９０は、動画保存機能部３０に格納されている動画像、または縦横変換機能部８０で変換された動画像を最大化表示して表示機６０に表示するものである。
【００３６】
サイズ取得機能部７０、縦横変換機能部８０、及び動画表示機能部９０は、例えば制御部４０で動作するソフトウェアにより実現される。または、サイズ取得機能部７０、縦横変換機能部８０、及び動画表示機能部９０は、図示しないが専用の動画像プロセッサにより実現される場合もある。
【００３７】
図４を参照して、図３に示した実施例の動作を説明する。
【００３８】
操作者により入力装置５０を用いて動画の再生が指示されると、制御部４０は、ストリーミング動画再生を開始し、図４のフローチャートに従って以下のように各部を制御する。
【００３９】
ダウンロード機能部２０は、URL (Uniform Resource Locator)等で指示される動画のストリーミングデータをダウンロードする（ステップＳ１１）。
【００４０】
サイズ取得機能部７０は、ダウンロードされた動画像から動画像の縦サイズ及び横サイズを取得する（ステップＳ１２）。
【００４１】
制御部４０は、動画像の横サイズが縦サイズより大きいか否かを判定する（ステップＳ１３）。
【００４２】
動画像の横サイズが縦サイズより大きい場合、縦横変換機能部８０により動画像の縦横変換が行われる（ステップＳ１４）。縦横変換は動画像の９０度回転処理により行われる。
【００４３】
動画像の横サイズが縦サイズより小さい場合は、縦横変換は行わず、そのまま表示するのが適切である。
【００４４】
動画表示機能部９０は、動画を表示機６０のサイズに適合するように最大化等処理を行い、他に必要な処理をさらに行って表示機６０に表示する。
【００４５】
本実施例により、操作者は動画像と表示機６０の縦横サイズの差異を気にせず、動画像の最大化表示を良好に行うことができる。
【００４６】
次に図５を参照して、本発明の第２の実施例による情報通信端末である携帯電話機について説明する。
【００４７】
図５においては、基本的な構成は図３と同様であり、さらにプレイリスト１１０とプレイリスト変換機能部１２０を備える点で図３と異なる。
【００４８】
プレイリスト１１０は、メモリの別領域に設けられ、図６に示すように、動画像の再生順番と、再生する動画像の識別子を管理している。
【００４９】
プレイリスト変換機能部１２０は、プレイリストの再生順番を変換する機能部であり、例えば制御部４０のソフトウェア等で実現される。
【００５０】
次に、図７を参照して、図５に示した実施例の動作（複数動画像の再生動作）を説明する。
【００５１】
ユーザは端末の入力装置５０を用いて、再生したい複数の動画像をプレイリスト１１０に登録する（ステップＳ２１）。
【００５２】
プレイリスト１１０には、図６に示すように、ユーザにより指示された動画像の識別子が記憶される。例えば、識別子はストリーミングを行うURLが用いられる。また既にメモリの動画保存領域に保存されている動画像の格納メモリアドレスや、地上デジタル放送などの放送番組のチャンネル情報を識別子としてもよい。
【００５３】
制御部４０は、ステップＳ２２において、複数の動画像についてプレイリストの登録が完了したことをユーザ入力により判定すると、プレイリスト１１０に登録された動画像の縦横サイズ（縦サイズ及び横サイズ）を全ての動画像について取得する（ステップＳ２３）。
【００５４】
ここで、動画像の縦横サイズの取得方法を説明しておく。
【００５５】
第１に、ストリーミングにおいての縦横サイズのデータを取得する方法を以下に示す。
【００５６】
ストリーミングはデータのダウンロードを全て完了しないうちに、ダウンロードされたデータを順次再生されるものである。まずストリーミング動画データのダウンロードを開始する。ダウンロードが完了したデータのうち先頭部分のヘッダ情報を取得する。次にヘッダ情報に記録されている縦サイズ及び横サイズを取得する。ヘッダ情報を取得できればそれに続くストリーミングデータは取得しなくてよいのでダウンロードは中断される。
【００５７】
第２に、動画像がメモリの動画保存領域に保存されている場合において縦横サイズを取得する方法を以下に示す。
【００５８】
この場合、動画像が保存されているメモリ領域から、そのヘッダ情報を取得する。次にヘッダ情報に記録されている縦サイズ及び横サイズを取得する。
【００５９】
第３に、テレビ放送の場合において縦横サイズを取得する方法を以下に示す。テレビ放送は縦横サイズが固定されていることが前提である。従ってテレビ放送がプレイリストに含まれているときは、あらかじめ設定された固定の縦サイズ及び横サイズを取得する。
【００６０】
図５において、プレイリスト変換機能部１２０は、取得した各動画像の縦横サイズに基づいてプレイリスト１１０の表示順番を変更する（図７のステップＳ２４）。
【００６１】
表示順番の変更は、例えば横サイズが縦サイズより長い動画像を先にまとめて再生されるようにし、横サイズが縦サイズより短い動画像を後でまとめて再生されるように変更される。または逆に横サイズが縦サイズより短い動画像を先にまとめて再生されるようにしても良い。
【００６２】
制御部４０は、プレイリスト１１０の動画再生順が変更された後、その順番に従って再生をする（図７のステップＳ２５）。
【００６３】
再生の処理は図４に示すものと同様である。
【００６４】
このように、複数の動画像を最大化して表示する場合でも、情報処理端末の設置を頻繁に変更する必要がなく、良好な視聴を行うことができる。即ち、閲覧者は表示機を頻繁に縦・横へと持ち変える必要がなくない、わずらわしさがなくなる。
【産業上の利用可能性】
【００６５】
本発明は携帯電話機以外の情報通信端末にも適用できる。
【図面の簡単な説明】
【００６６】
【図１】従来の情報処理端末の通常表示及び最大化表示を説明するための図である。
【図２】本発明による情報処理端末の通常表示及び最大化表示を説明するための図である。
【図３】本発明の第１の実施例による情報通信端末のブロック図である。
【図４】図３に示した情報通信端末の動作を説明するためのフローチャートである。
【図５】本発明の第２の実施例による情報通信端末のブロック図である。
【図６】図５に示した情報通信端末におけるプレイリストを説明するための図である。
【図７】図５に示した情報通信端末の動作を説明するための図である。
【符号の説明】
【００６７】
１０    無線送受信装置
２０    ダウンロード機能部
３０    動画保存機能部
４０    制御部
５０    入力装置
６０    表示機
７０    サイズ取得機能部
８０    縦横変換機能部
９０    動画表示機能部
１００  アンテナ
１１０  プレイリスト
１２０  プレイリスト変換機能部
【図１】
2008244707.tif 000003
【図２】
2008244707.tif 000004
【図３】
2008244707.tif 000005
【図４】
2008244707.tif 000006
【図５】
2008244707.tif 000007
【図６】
2008244707.tif 000008
【図７】
2008244707.tif 000009